(57)【要約】      （修正有）【課題】歪みを抑えつつ安価に構成する、時分割複信方式で利用可能な送受信装置を提供する。【解決手段】受信時にアンテナ接続部４１、受信信号出力部４２、第１増幅部１７、アナログ加算器１８、Ａ／Ｄ変換部２０、を順に介してベースバンド信号出力部２４にベースバンド受信信号を出力する。送信時にベースバンド信号入力部２３に入力されるベースバンド送信信号を基に、ディジタル加算器８、Ｄ／Ａ変換部９、第２増幅部１２、送信信号入力部４３、アンテナ接続部４１を順に介して送信信号を出力する。さらに、第２増幅部１２の出力の一部をアナログ加算器１８に入力し、アナログ加算器１８の出力をＡ／Ｄ変換部２０を介し、所定の歪補償係数を掛けてディジタル加算器８に入力する。【選択図】図１
2016092502.tif 000002
【特許請求の範囲】
【請求項１】
外部のアンテナに接続可能なアンテナ接続部と、前記アンテナ接続部から入力される受信信号を出力する受信信号出力部と、入力される送信信号を前記アンテナ接続部へ出力する送信信号入力部とを有する送受信分離部と、
ベースバンド信号出力部を備え、前記受信信号出力部から出力される受信信号を基に前記ベースバンド信号出力部にベースバンド受信信号を出力可能な受信部と、
ベースバンド送信信号が入力可能なベースバンド信号入力部を備え、前記ベースバンド送信信号を基に前記送信信号入力部に送信信号を出力可能な送信部と、
を備え、
前記受信部は、前記受信信号出力部と前記ベースバンド信号出力部との間に設けられた第１増幅部と、
前記第１増幅部と前記ベースバンド信号出力部との間に設けられたＡ／Ｄ変換部と、
前記Ａ／Ｄ変換部と前記第１増幅部との間に設けられたアナログ加算器と、を備え
前記送信部は、前記ベースバンド信号入力部と前記送信信号入力部との間に設けられた第２増幅部と、
前記第２増幅部と前記ベースバンド信号入力部との間に設けられたＤ／Ａ変換部と、
前記Ｄ／Ａ変換部と前記ベースバンド信号入力部との間に設けられたディジタル加算器と、を備える、
時分割複信方式で利用可能な送受信装置であって、
受信時においては、前記アンテナ接続部、前記受信信号出力部、前記第１増幅部、前記アナログ加算器、前記Ａ／Ｄ変換部、を順に介して前記ベースバンド信号出力部にベースバンド受信信号を出力し、
送信時においては、前記ベースバンド信号入力部に入力される前記ベースバンド送信信号を基に、前記ディジタル加算器、前記Ｄ／Ａ変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介し、所定の歪補償係数を掛けて前記ディジタル加算器に入力する、
送受信装置。
【請求項２】
請求項１に記載の送受信装置であって、
前記送信部において、前記第２増幅部と前記送信信号入力部との間に分配器を設け、
前記送信時においては、前記ベースバンド信号入力部に入力される前記ベースバンド送信信号を基に、前記ディジタル加算器、前記Ｄ／Ａ変換部、前記第２増幅部、前記分配器、前記送信信号入力部、前記アンテナ接続部を順に介して送信信号を出力するとともに、前記第２増幅部の出力の一部を、前記分配器を用いて分配して前記アナログ加算器に入力し、前記アナログ加算器の出力を前記Ａ／Ｄ変換部を介し、所定の歪補償係数を掛けて前記ディジタル加算器に入力する、
【請求項３】
請求項１又は請求項２に記載の送受信装置であって、
歪補償係数算出部を備え、
送信時においては、前記ベースバンド信号入力部に入力される前記ベースバンド送信信号を基に、前記ディジタル加算器、前記Ｄ／Ａ変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介して前記歪補償係数算出部に入力し、前記歪補償係数算出部において所定の歪補償係数を掛けて前記ディジタル加算器に入力する、
送受信装置。
【請求項４】
請求項１から請求項３のいずれか１項に記載の送受信装置であって、
受信時においては、前記アンテナ接続部、前記受信信号出力部、前記第１増幅部、前記アナログ加算器、前記Ａ／Ｄ変換部、を順に介して前記ベースバンド信号出力部にベースバンド受信信号を出力するとともに、前記第２増幅部の出力の一部を、所定の遅延と所定の増幅を与えて前記アナログ加算器に入力する、
送受信装置。
【請求項５】
請求項１から請求項４のいずれか１項に記載の送受信装置であって、
前記アナログ加算器と前記Ａ／Ｄ変換部との間に設けられ、第１の周波数から、前記第１の周波数より低い第２の周波数に変換する第１周波数変換部と、
前記Ｄ／Ａ変換部と前記第２増幅部との間に設けられ、第３の周波数から前記第１の周波数に変換する第２周波数変換部と、
を備え、
受信時においては、前記アンテナ接続部、前記受信信号出力部、前記第１増幅部、前記アナログ加算器、前記第１周波数変換部、前記Ａ／Ｄ変換部、を順に介して前記ベースバンド信号出力部にベースバンド受信信号を出力し、
送信時においては、前記ベースバンド信号入力部に入力される前記ベースバンド送信信号を基に、前記ディジタル加算器、前記Ｄ／Ａ変換部、前記第２周波数変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介し、所定の歪補償係数を掛けて前記ディジタル加算器に入力する、
送受信装置。
【請求項６】
請求項５に記載の送受信装置であって、
前記第２周波数変換部は、前記第２の周波数から前記第１の周波数ではない第４の周波数に変換可能であり、
前記受信時において、前記第２周波数変換部は、前記第３の周波数から前記第４の周波数に変換する、
送受信装置。
【請求項７】
請求項５又は請求項６に記載の送受信装置であって、
前記第３の周波数は、前記第２の周波数と同じである、
送受信装置。
【請求項８】
請求項１から請求項７のいずれか１項に記載の送受信装置であって、
前記アンテナ接続部に接続されたバンドバスフィルタを設け、前記バンドバスフィルタを介して外部のアンテナに接続可能な、
送受信装置。
【請求項９】
請求項１から請求項８のいずれか１項に記載の送受信装置であって、
前記第１増幅部は、低雑音増幅部である、
送受信装置。
【請求項１０】
請求項１から請求項９のいずれか１項に記載の送受信装置であって、
前記第２増幅部は、大電力増幅部である、
送受信装置。
【発明の詳細な説明】
【技術分野】
【０００１】
本発明は、送信と受信を時分割で切り替える時分割複信方式で利用可能な、セルラー用の通信端末や基地局等の送受信装置に関する。
【背景技術】
【０００２】
ＬＴＥ−ＴＤＤ 等において、同じ周波数帯を単位時間(タイムスロット)に分割し、上りと下りを交互に切り替えて利用する時分割複信(ＴＤＤ：Time Division Duplex)方式が知られている。この時分割複信方式で利用可能な送受信装置において、発生する歪みを抑える技術が特許文献１に開示されている。
【先行技術文献】
【特許文献】
【０００３】
【特許文献１】特開２０１２−６０４３３号公報
【発明の概要】
【発明が解決しようとする課題】
【０００４】
ところで、時分割複信方式で利用可能な送受信装置において、歪みを抑えつつ安価に構成することが、引き続き求められている。
【課題を解決するための手段】
【０００５】
本発明の送受信装置は、外部のアンテナに接続可能なアンテナ接続部と、前記アンテナ接続部から入力される受信信号を出力する受信信号出力部と、入力される送信信号を前記アンテナ接続部へ出力する送信信号入力部とを有する送受信分離部と、ベースバンド信号出力部を備え、前記受信信号出力部から出力される受信信号を基に前記ベースバンド信号出力部にベースバンド受信信号を出力可能な受信部と、ベースバンド送信信号が入力可能なベースバンド信号入力部を備え、前記ベースバンド送信信号を基に前記送信信号入力部に送信信号を出力可能な送信部と、を備え、前記受信部は、前記受信信号出力部と前記ベースバンド信号出力部との間に設けられた第１増幅部と、前記第１増幅部と前記ベースバンド信号出力部との間に設けられたＡ／Ｄ変換部と、前記Ａ／Ｄ変換部と前記第１増幅部との間に設けられたアナログ加算器と、を備え、前記送信部は、前記ベースバンド信号入力部と前記送信信号入力部との間に設けられた第２増幅部と、前記第２増幅部と前記ベースバンド信号入力部との間に設けられたＤ／Ａ変換部と、前記Ｄ／Ａ変換部と前記ベースバンド信号入力部との間に設けられたディジタル加算器と、を備える、時分割複信方式で利用可能な送受信装置であって、受信時においては、前記アンテナ接続部、前記受信信号出力部、前記第１増幅部、前記アナログ加算器、前記Ａ／Ｄ変換部、を順に介して前記ベースバンド信号出力部にベースバンド受信信号を出力し、送信時においては、前記ベースバンド信号入力部に入力される前記ベースバンド送信信号を基に、前記ディジタル加算器、前記Ｄ／Ａ変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介し、所定の歪補償係数を掛けて前記ディジタル加算器に入力する。
【０００６】
この構成により、受信時に第１増幅部、Ａ／Ｄ変換部等を介してベースバンド信号出力部にベースバンド受信信号を出力し、送信時には、Ｄ／Ａ変換部、第２増幅部等介して送信信号を出力するとともに、第２増幅部の出力の一部を、受信時に利用するＡ／Ｄ変換部を介して、Ｄ／Ａ変換部の入力に対して歪補償を行うことができる。これにより、第２増幅部等での歪みを低減できるとともに、受信時と送信時にＡ／Ｄ変換部を共用することで送受信装置を安価に構成することができる。
【０００７】
また、本発明の送受信装置は、前記送信部において、前記第２増幅部と前記送信信号入力部との間に分配器を設け、前記送信時においては、前記ベースバンド信号入力部に入力される前記ベースバンド送信信号を基に、前記ディジタル加算器、前記Ｄ／Ａ変換部、前記第２増幅部、前記分配器、前記送信信号入力部、前記アンテナ接続部を順に介して送信信号を出力するとともに、前記第２増幅部の出力の一部を、前記分配器を用いて分配して前記アナログ加算器に入力し、前記アナログ加算器の出力を前記Ａ／Ｄ変換部を介し、所定の歪補償係数を掛けて前記ディジタル加算器に入力する。
【０００８】
また、本発明の送受信装置は、歪補償係数算出部を備え、送信時においては、前記ベースバンド信号入力部に入力される前記ベースバンド送信信号を基に、前記ディジタル加算器、前記Ｄ／Ａ変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介して前記歪補償係数算出部に入力し、前記歪補償係数算出部において所定の歪補償係数を掛けて前記ディジタル加算器に入力する。
【０００９】
また、本発明の送受信装置は、受信時においては、前記アンテナ接続部、前記受信信号出力部、前記第１増幅部、前記アナログ加算器、前記Ａ／Ｄ変換部、を順に介して前記ベースバンド信号出力部にベースバンド受信信号を出力するとともに、前記第２増幅部の出力の一部を、所定の遅延と所定の増幅を与えて前記アナログ加算器に入力する。
【００１０】
一般に、受信時に第２増幅部等で熱雑音等が増幅され送信信号入力部にノイズが入力され、送受信分離部において受信信号出力部にノイズが回り込んで、受信信号にノイズが重畳されて第１増幅部に入力されることがあるが、この構成により、第２増幅部が出力するノイズの一部を、所定の遅延と所定の増幅を与えてアナログ加算器で受信信号に足して、回り込んだノイズを打ち消す様にすることができる。
【００１１】
また、本発明の送受信装置は、前記アナログ加算器と前記Ａ／Ｄ変換部との間に設けられ、第１の周波数から、前記第１の周波数より低い第２の周波数に変換する第１周波数変換部と、前記Ｄ／Ａ変換部と前記第２増幅部との間に設けられ、第３の周波数から前記第１の周波数に変換する第２周波数変換部と、を備え、受信時においては、前記アンテナ接続部、前記受信信号出力部、前記第１増幅部、前記アナログ加算器、前記第１周波数変換部、前記Ａ／Ｄ変換部、を順に介して前記ベースバンド信号出力部にベースバンド受信信号を出力し、送信時においては、前記ベースバンド信号入力部に入力される前記ベースバンド送信信号を基に、前記ディジタル加算器、前記Ｄ／Ａ変換部、前記第２周波数変換部、前記第２増幅部、前記送信信号入力部、前記アンテナ接続部を順に介して送信信号を出力するとともに、前記第２増幅部の出力の一部を前記アナログ加算器に入力し、前記アナログ加算器の出力を前記Ａ／Ｄ変換部を介し、所定の歪補償係数を掛けて前記ディジタル加算器に入力する。
【００１２】
この構成により、受信時に第１増幅部、第１周波数変換部、Ａ／Ｄ変換部等を介してベースバンド信号出力部にベースバンド受信信号を出力し、送信時には、Ｄ／Ａ変換部、第２周波数変換部、第２増幅部等介して送信信号を出力するとともに、第２増幅部の出力の一部を、受信時に利用する第１周波数変換部、Ａ／Ｄ変換部を介して、Ｄ／Ａ変換部の入力に対して歪補償を行うことができる。これにより、第２増幅部等での歪みを低減できるとともに、受信時と送信時に第１周波数変換部とＡ／Ｄ変換部を共用することで送受信装置を安価に構成することができる。
【００１３】
また、本発明の送受信装置は、前記第２周波数変換部は、前記第３の周波数から前記第１の周波数ではない第４の周波数に変換可能であり、前記受信時において、前記第２周波数変換部は、前記第３の周波数から前記第４の周波数に変換する。
【００１４】
この構成により、受信時において、第２周波数変換部は第３の周波数から、第１の周波数ではない第４の周波数に変換するので、Ｄ／Ａ変換部等での熱雑音は第４の周波数に変換され、送受信分離部において受信信号出力部に回り込んだとしても、第１増幅部等において第１の周波数である受信信号に悪影響を与えることが抑制される。
【００１５】
また、本発明の送受信装置は、前記第３の周波数は、前記第２の周波数と同じである。
【００１６】
また、本発明の送受信装置は、前記アンテナ接続部に接続されたバンドバスフィルタを設け、前記バンドバスフィルタを介して外部のアンテナに接続可能である。
【００１７】
また、本発明の送受信装置は、前記第１増幅部は、低雑音増幅部である。
【００１８】
また、本発明の送受信装置は、大電力増幅部である。
【発明の効果】
【００１９】
本発明によれば、受信時に第１増幅部、Ａ／Ｄ変換部等を介してベースバンド信号出力部にベースバンド受信信号を出力し、送信時には、Ｄ／Ａ変換部、第２増幅部等介して送信信号を出力するとともに、第２増幅部の出力の一部を、受信時に利用するＡ／Ｄ変換部を介して、Ｄ／Ａ変換部の入力に対して歪補償を行うことができる。これにより、第２増幅部等での歪みを低減できるとともに、受信時と送信時にＡ／Ｄ変換部を共用することで送受信装置を安価に構成することができる。
【図面の簡単な説明】
【００２０】
【図１】本発明の第１の実施の形態等に係る送受信装置の概略構成を示すブロック図
【図２】本発明の第１の実施の形態に係る送受信装置の動作を示すタイムチャート図
【図３】本発明の第１の実施の形態の変形例に係る送受信装置の動作を示すタイムチャート図
【図４】本発明の第２の実施の形態に係る送受信装置の動作を示すタイムチャート図
【発明を実施するための形態】
【００２１】
（第１の実施の形態）
以下、本発明の第１の実施の形態について、図面を参照して説明する。
【００２２】
図１は、本実施の形態の送受信装置１等の構成を示すブロック図である。送受信装置１は凡そ、送受信分離部４と、送信部２と、受信部３とで構成される。
【００２３】
送受信分離部４は、アンテナ接続部４１と受信信号出力部４２と送信信号入力部４３とを備え、アンテナ接続部４１から入力される受信信号を受信信号出力部４２へ出力するとともに、送信信号入力部４３から入力される送信信号をアンテナ接続部４１へ出力する。送受信分離部４は、例えば磁化されたフェライト材料等の受動素子で作成されるサーキュレータで構成される。その為、送信信号入力部４３から入力される送信信号の全てをアンテナ接続部４１へ出力するのではなく、送信信号の一部は受信信号出力部４２へ出力されてしまう場合がある。アンテナ接続部４１は、バンドバスフィルタ１４を介して、外部のアンテナ１５に接続されている。
【００２４】
送信部２は、ベースバンド信号入力部２３、ディジタル加算器８、Ｄ／Ａ変換部９、発振器１１、第２周波数変換部１９、第２増幅部１２、及び分配器１３で構成される。
【００２５】
ベースバンド信号入力部２３は、外部のベースバンド部２２より、送信用のベースバンド信号の入力を受け、ディジタル加算器８に出力する。この送信用ベースバンド信号のシンボルレートは、例えば５００［ｓｂｓ］である。
【００２６】
ディジタル加算器８は、ベースバンド信号入力部２３より入力された送信用のベースバンド信号（ディジタル信号）に、後述する歪補償係数算出部２１より入力されるディジタル信号を加算して、Ｄ／Ａ変換部９に出力する。
【００２７】
Ｄ／Ａ変換部９は、ディジタル信号をアナログ信号に変換する機能を持ち、送信用のベースバンド信号（ディジタル信号）をアナログ信号に変換して、第２周波数変換部１９に出力する。このアナログ信号の周波数（第３の周波数）は、例えば１５０［ＭＨｚ］である。
【００２８】
発振器１１は、ＶＣＯとＰＬＬ等から成り、所定の周波数で発振した正弦波を第２周波数変換部１９に出力する。ここで所定の周波数としては、例えば２．２ＧＨｚ］である。更に、発振器１１は、この所定の周波数以外の他の周波数で発振した正弦波を第２周波数変換部１９へ出力することも可能である。
【００２９】
第２周波数変換部１９は、発振器１１が出力する正弦波を利用して、Ｄ／Ａ変換部９が出力するアナログ信号の周波数（第３の周波数）を、第３の周波数より大きい第１の周波数に変換し、送信用のＲＦ信号として第２増幅部１２へ出力する。ここで第１の周波数としては、例えば２．３５［ＧＨｚ］である。更に、第２周波数変換部１９は、発振器１１から他の周波数の正弦波が入力される場合、Ｄ／Ａ変換部９が出力するアナログ信号の周波数（第３の周波数）を、第３の周波数より大きく、且つ第１の周波数と異なる第４の周波数に変換し、第２増幅部１２へ出力することも可能である。
【００３０】
第２増幅部１２は、複数の増幅器（図示せず）を多段に接続されたもので構成され、全体として大きな増幅率を得ることができる。従って、この第２増幅部１２の出力としては、大きな電力の信号を得ることができる。このことから、第２増幅部１２は、大電力増幅部と捕らえることも可能である。これら複数の増幅器においては、特に最終段の増幅器は効率を高める為に、歪みが大きく発生する回路形式が採用される場合がある。
【００３１】
第２増幅部１２で大きく増幅された送信用のＲＦ信号は分配器１３に出力される。分配器１３は、入力された送信用のＲＦ信号の一部を、後述するスイッチ５に出力するとともに、残りの送信用のＲＦ信号を、前述した送信信号入力部４３に入力する。
【００３２】
ここで、Ｄ／Ａ変換部９の出力部分、第２周波数変換部１９、第２増幅部１２はアナログ回路であって、それぞれで熱雑音が発生する。特に、第２増幅部１２より前にあるＤ／Ａ変換部９の出力部分、第２周波数変換部１９で発生する熱雑音は、第２増幅部１２で大きく増幅される可能性がある。更に、送受信装置１の受信時は、Ｄ／Ａ変換部９の出力部分、第２周波数変換部１９、第２増幅部１２に通過する所定の信号は無く、代わってこれらの熱雑音が支配的になって増幅されて第２増幅部１２から分配器１３に出力される場合がある。
【００３３】
次に、受信部３は、第１増幅部１７、アナログ加算器１８、第１周波数変換部１０、Ａ／Ｄ変換部２０、及びスイッチ７で構成される。
【００３４】
第１増幅部１７は、前述した受信信号出力部４２より受信信号（受信用のＲＦ信号）が入力され、所定の増幅率で増幅した上でアナログ加算器１８に出力する。第１増幅部１７で用いられる増幅器は、雑音の低い増幅器が用いられる。このことから、第１増幅部１７は、低雑音増幅部と捕らえることも可能である。
【００３５】
アナログ加算器１８は、第１増幅部１７から入力される受信用のＲＦ信号に、後述するスイッチ６より出力される信号をアナログ的に加算して、第１周波数変換部１０へ受信用のＲＦ信号として出力する。
【００３６】
第１周波数変換部１０は、アナログ加算器１８から出力される受信用のＲＦ信号の周波数を第１の周波数から第２の周波数（第１の周波数＞第２の周波数）に変換し、Ａ／Ｄ変換部２０へ出力する。
【００３７】
Ａ／Ｄ変換部２０は、アナログ信号をディジタル信号に変換する機能を持ち、受信用のＲＦ信号を受信用のベースバンド信号（ディジタル信号）に変換して、スイッチ７へ出力する。この受信用のベースバンド信号のシンボルレートは、前述の送信用ベースバンド信号のシンボルレートと同じである。
【００３８】
スイッチ７は、送受信装置１の送信動作と受信動作の切り替わりに伴い、送信時には、後述する歪補償係数算出部２１へＡ／Ｄ変換部２０からの信号を出力し（端子ａに切り替わり）、受信時には、前述のベースバンド信号出力部２４へ出力する（端子ｂに切り替わる）。
【００３９】
送受信装置１は、更に、スイッチ５、スイッチ６、位相調整部１６、及び歪補償係数算出部２１を備える。
【００４０】
スイッチ５は、分配器１３に接続され、スイッチ６はアナログ加算器１８に接続される。送受信装置１の送信時に、スイッチ５及びスイッチ６は、分配器１３の出力を直接、アナログ加算器１８に入力する。即ち、送受信装置１の送信時は、スイッチ５で端子ａに、スイッチ６で端子ａに切り替わる。送受信装置１の受信時に、スイッチ５及びスイッチ６は、分配器１３の出力を、位相調整部１６を介してアナログ加算器１８に入力する。即ち、送受信装置１の受信時は、スイッチ５で端子ｂに、スイッチ６で端子ｂに切り替わる。歪補償係数算出部２１は、スイッチ７の出力に歪補償係数を掛けて、ディジタル加算器８に出力する。
【００４１】
図２は、送受信装置１の動作を示すタイムチャート図である。図２において、横軸は時間軸を示す。縦軸について、下から送信／受信は、送受信装置の送信動作と受信動作の切り替わりを示す。下から次に、スイッチ７、スイッチ６、スイッチ５は、それぞれ端子ａと端子ｂに切り替わりを示す。一番上の第２周波数変換部１９については、常に第１の周波数に変換していることを示す。
【００４２】
即ち、送受信装置１において送信時には、Ｄ／Ａ変換部９、第２周波数変換部１９、第２増幅部１２等介して送信信号を出力するとともに、分配器１３が出力するＲＦ信号の一部をスイッチ５の端子ａとスイッチ６の端子ｂを介してアナログ加算器１８に入力され、第１周波数変換部１０、Ａ／Ｄ変換部２０、スイッチ７の端子ａを介して、歪補償係数算出部２１に入力される。歪補償係数算出部２１では、第２増幅部１２で発生する歪みを打ち消す様に係数を求め、求めた係数をスイッチ７の端子ａより入力された信号に掛け算をして、ディジタル加算器８に出力する。これにより、第２増幅部１２が出力する信号の歪みを低減できるとともに、受信時と送信時に第１周波数変換部１０とＡ／Ｄ変換部２０を共用することで送受信装置を安価に構成することができる。
【００４３】
また、送受信装置１において受信時には、第２増幅部等が出力する熱雑音等に起因するノイズの一部を分配器１３が出力し、スイッチ５の端子ｂ、位相調整部１６、スイッチ６の端子ｂを介して、アナログ加算器１８に入力する。位相調整部１６において、受信信号出力部４２から出力され第１増幅部１７で増幅されたノイズと打消し合うように位相と振幅を調整することで、アナログ加算器１８において、第２増幅部等が出力する熱雑音等に起因するノイズを打ち消し、低減することができる。
【００４４】
なお、スイッチ５とスイッチ６における送信／受信に伴う切り替え動作は無くても良い。即ち、図３に示すようにスイッチ５とスイッチ６を両方とも端子ａに固定する様にしてもよい。この様にした場合でも送信時に第２増幅部１２が出力する信号の歪みを低減できるとともに、受信時と送信時に第１周波数変換部１０とＡ／Ｄ変換部２０を共用することで送受信装置を安価に構成することができる。
【００４５】
また、送受信装置１において、第１周波数変換部１０と第２周波数変換部１９は無くても良い。即ち、Ｄ／Ａ変換部の出力を直接、第２増幅部１２に入力し、アナログ加算器１８の出力を直接、Ａ／Ｄ変換部２０に入力するようにしても良い。
【００４６】
また、送受信装置１において、バンドバスフィルタ１４は無くても良い。即ち、アンテナ接続部４１の出力を直接、アンテナ１５に入力するようにしても良い。
（第２の実施の形態）
次に、本発明の第２の実施の形態について、図面を参照して説明する。本実施の形態の送受信装置１０１の構成は第１の実施の形態の送受信装置１と基本的に共通であり、第２周波数変換部１９の動作が異なる。
【００４７】
図３は、送受信装置１０１の動作を示すタイムチャート図である。図３において、一番上の第２周波数変換部１９については、第１の周波数と第４の周波数の切り替わりを示している。ここ以外は、図２と共通である。即ち、第２周波数変換部１９は、送受信装置１０１の受信時は第４の周波数に変換し、送受信装置１０１の送信時には第１の周波数に変換する。
【００４８】
この構成により、送受信装置１と同様の作用効果を備えるとともに、送受信装置１０１の受信時において、第２周波数変換部１９は第３の周波数から、第１の周波数ではない第４の周波数に変換するので、Ｄ／Ａ変換部９等での熱雑音は第４の周波数に変換され、送受信分離部４において受信信号出力部４２に回り込んだとしても、第１増幅部１７等において第１の周波数である受信信号に悪影響を与えることが抑制される。
【００４９】
なお、第２の周波数と第３の周波数は異なる周波数であることを前提に説明をしたが、第２の周波数と第３の周波数を同じにしても良い。
【産業上の利用可能性】
【００５０】
本発明の送受信装置は、ＬＴＥ−ＴＤＤ 等の時分割複信方式の送受信装置で利用可能である。
【符号の説明】
【００５１】
１、１０１  送受信装置
２  送信部
３  受信部
４  送受信分離部
５、６、７  スイッチ
８  ディジタル加算器
９  Ｄ／Ａ変換部
１０  第１周波数変換部
１２  第２増幅部（大電力増幅部）
１３  分配器
１４  バンドバスフィルタ
１５  アンテナ
１６  位相調整部
１７  第１増幅部（低雑音増幅部）
１８  アナログ加算器
１９  第２周波数変換部
２０  Ａ／Ｄ変換部
２１  歪補償係数算出部
２３  ベースバンド信号入力部
２４  ベースバンド信号出力部
４１  アンテナ接続部
４２  受信信号出力部
４３  送信信号入力部
【図１】
2016092502.tif 000003
【図２】
2016092502.tif 000004
【図３】
2016092502.tif 000005
【図４】
2016092502.tif 000006